(57)【要約】【課題】複数回のお試し印刷機能を利用する際、従来よりも簡単に印刷設定を行うことができる画像形成装置を提供する。【解決手段】ユーザーにより指定された画像設定で画像の試し刷りを実行すべき指令を操作部が受け付けた場合、試し刷り画像の画像設定を識別する識別コードを識別コード生成部に生成させ、試し刷り画像を画像形成部に形成させ、前記画像設定を前記識別コードに関連付けて記憶部に記憶させ、画像の試し刷り終了指令を前記操作部が受け付けた場合、前記試し刷り画像の各ページについて前記識別コードを入力すべき旨の指示を表示部に表示させ、前記画像の各ページについて前記識別コードが入力された後、画像形成指令を前記操作部が受け付けた場合、前記画像の各ページについて前記識別コードに関連付けられた画像設定で前記画像形成部に画像を形成させることを特徴とする画像形成装置。【選択図】図５
2020191553.tif 000002
【特許請求の範囲】
【請求項１】
ユーザーからの画像設定の指定を含む種々の指令を受け付ける操作部と、
前記操作部を介して指定された画像設定で画像を形成する画像形成部と、
前記画像設定を識別する識別コードを生成する識別コード生成部と、
前記画像設定および前記識別コードを記憶する記憶部と、
ユーザーへの指示を表示する表示部と、
前記操作部、前記画像形成部、前記識別コード生成部、前記記憶部および前記表示部を制御する制御部とを備え、
前記制御部は、ユーザーにより指定された画像設定で画像の試し刷りを実行すべき指令を前記操作部が受け付けた場合、前記画像設定を識別する識別コードを前記識別コード生成部に生成させ、試し刷り画像を前記画像形成部に形成させるとともに、前記画像設定を前記識別コードに関連付けて前記記憶部に記憶させ、
前記画像の試し刷りを終了すべき旨の指令を前記操作部が受け付けた場合、前記試し刷り画像の各ページについて前記識別コードを入力すべき旨の指示を前記表示部に表示させ、
前記画像の各ページについて前記識別コードが入力された後、画像形成を実行すべき旨の指令を前記操作部が受け付けた場合、前記画像の各ページについて前記識別コードに関連付けられた画像設定で前記画像形成部に画像を形成させることを特徴とする画像形成装置。
【請求項２】
ユーザーからの画像設定の指定を含む種々の指令を受け付ける操作部と、
前記操作部を介して指定された画像設定で画像を形成する画像形成部と、
前記画像設定を識別する識別コードを生成する識別コード生成部と、
前記画像設定および前記識別コードを記憶する記憶部と、
ユーザーへの指示を表示する表示部と、
前記識別コードを含む画像から前記識別コードを読み取る画像読取部と、
前記操作部、前記画像形成部、前記識別コード生成部、前記記憶部、前記表示部および前記画像読取部を制御する制御部とを備え、
前記制御部は、ユーザーにより指定された画像設定で画像の試し刷りを実行すべき指令を前記操作部が受け付けた場合、前記画像設定を識別する識別コードを前記識別コード生成部に生成させ、前記識別コードが含まれるように試し刷り画像を前記画像形成部に形成させるとともに、前記画像設定を前記識別コードに関連付けて前記記憶部に記憶させ、
前記画像の試し刷りを終了すべき旨の指令を前記操作部が受け付けた場合、前記試し刷り画像の各ページについて前記識別コードを含む画像を前記画像読取部に読み取らせるべき旨の指示を前記表示部に表示させ、
前記試し刷り画像の各ページについて前記識別コードを前記画像読取部が読み取った後、画像形成を実行すべき旨の指令を前記操作部が受け付けた場合、前記画像の各ページについて前記識別コードに関連付けられた画像設定で前記画像形成部に画像を形成させることを特徴とする画像形成装置。
【請求項３】
前記制御部は、前記識別コードを含む画像を前記画像読取部が読み取った場合、前記画像の各ページについて前記画像読取部が読み取った前記識別コードを前記表示部に表示させる請求項２に記載の画像形成装置。
【請求項４】
前記制御部は、前記画像の各ページについて前記識別コードを含む画像を前記画像読取部が読み取った際に、前記識別コードを読み取れなかった画像が存在する場合、読み取れなかった画像の各ページについて、前記識別コードを入力するか、または前記識別コードを含む画像を前記画像読取部に読み取らせるべき旨の指示を前記表示部に表示させる請求項３に記載の画像形成装置。
【請求項５】
前記操作部は、前記画像の各ページについて前記識別コードの修正を受け付ける請求項１〜４のいずれか１つに記載の画像形成装置。
【請求項６】
前記制御部は、前記画像の各ページについて前記識別コードに関連付けられた画像設定で前記画像形成部に画像を形成させた後、前記画像の画像設定および前記識別コードを前記記憶部から削除する請求項１〜５のいずれか１つに記載の画像形成装置。
【請求項７】
ユーザーからの画像設定の指定を含む種々の指令を受け付ける操作ステップと、
前記操作ステップにおいて指定された画像設定で画像を形成する画像形成ステップと、
前記画像設定を識別する識別コードを生成する識別コード生成ステップと、
前記画像設定および前記識別コードを記憶する記憶ステップと、
ユーザーへの指示を表示する表示ステップとを有し、
前記操作ステップにおいて、ユーザーにより指定された画像設定で画像の試し刷りを実行すべき指令が受け付けられた場合、前記識別コード生成ステップにおいて、前記画像設定を識別する識別コードを生成し、前記画像ステップにおいて、試し刷り画像を形成し、前記記憶ステップにおいて、前記画像設定を前記識別コードに関連付けて記憶し、
前記操作ステップにおいて、前記画像の試し刷りを終了すべき旨の指令が受け付けられた場合、前記表示ステップにおいて、前記試し刷り画像の各ページについて前記識別コードを入力すべき旨の指示を表示し、
前記操作ステップにおいて、前記画像の各ページについて前記識別コードが入力された後、画像形成を実行すべき旨の指令が受け付けられた場合、前記画像形成ステップにおいて、前記画像の各ページについて前記識別コードに関連付けられた画像設定で画像を形成することを特徴とする画像形成方法。
【請求項８】
ユーザーからの画像設定の指定を含む種々の指令を受け付ける操作ステップと、
前記操作ステップにおいて指定された画像設定で画像を形成する画像形成ステップと、
前記画像設定を識別する識別コードを生成する識別コード生成ステップと、
前記画像設定および前記識別コードを記憶する記憶ステップと、
ユーザーへの指示を表示する表示ステップと、
前記識別コードを含む画像から前記識別コードを読み取る画像読取ステップとを有し、
前記操作ステップにおいて、ユーザーにより指定された画像設定で画像の試し刷りを実行すべき指令が受け付けられた場合、前記識別コード生成ステップにおいて、前記画像設定を識別する識別コードを生成し、前記画像形成ステップにおいて、試し刷り画像を形成し、前記記憶ステップにおいて、前記画像設定を前記識別コードに関連付けて記憶し、
前記操作ステップにおいて、前記画像の試し刷りを終了すべき旨の指令が受け付けられた場合、前記表示ステップにおいて、前記試し刷り画像の各ページについて前記識別コードを含む画像を読み取らせるべき旨の指示を表示し、
前記画像読取ステップにおいて、前記試し刷り画像の各ページについて前記識別コードが読み取られた後、前記操作ステップにおいて、画像形成を実行すべき旨の指令が受け付けられた場合、前記画像形成ステップにおいて、前記画像の各ページについて前記識別コードに関連付けられた画像設定で画像を形成することを特徴とする画像形成方法。
【発明の詳細な説明】
【技術分野】
【０００１】
この発明は、画像形成装置および画像形成方法に関し、より詳細には、お試し印刷機能を有する画像形成装置および画像形成方法に関する。
【背景技術】
【０００２】
従来、コピー等の画像形成機能において、同一の原稿をさまざまな印刷設定で何度も試し刷り印刷した後、これらの試し刷りの印刷結果を見て、最適な印刷設定をユーザーに選択させるお試し印刷機能が知られている。
【０００３】
このようなお試し印刷機能の発明としては、お試し印刷をする際に、印刷物に予め識別情報（ＩＤ番号）を印刷しておき、複数回お試し印刷を実行した後に、本印刷として採用すべき設定（ＩＤ番号）をユーザーに選択させることにより、本印刷の印刷条件を設定する印刷装置の発明が開示されている（例えば、特許文献１を参照）。
【先行技術文献】
【特許文献】
【０００４】
【特許文献１】特開２００８−１５２４７２号公報
【発明の概要】
【発明が解決しようとする課題】
【０００５】
しかしながら、お試し印刷において、ユーザーがさまざまな設定で複数回のお試し印刷機能を実行した後、複数回のお試し印刷結果を見比べて、ページごとに最適な設定を決定することもある。
【０００６】
その場合、ユーザーはページごとに細かな設定を行う必要があり、ユーザーに過度の手間を発生させてしまうため、利便性が高いものとはいえなかった。
【０００７】
また、お試し印刷の回数が多いほど、各回での設定を覚えておく必要があるため、ページごとの設定が困難になるという問題もあった。
【０００８】
この発明は、このような課題に鑑みてなされたものであり、複数回のお試し印刷機能を利用する際、従来よりも簡単に印刷設定を行うことができる画像形成装置および画像形成方法を提供するものである。
【課題を解決するための手段】
【０００９】
（１）この発明は、ユーザーからの画像設定の指定を含む種々の指令を受け付ける操作部と、前記操作部を介して指定された画像設定で画像を形成する画像形成部と、前記画像設定を識別する識別コードを生成する識別コード生成部と、前記画像設定および前記識別コードを記憶する記憶部と、ユーザーへの指示を表示する表示部と、前記操作部、前記画像形成部、前記識別コード生成部、前記記憶部および前記表示部を制御する制御部とを備え、前記制御部は、ユーザーにより指定された画像設定で画像の試し刷りを実行すべき指令を前記操作部が受け付けた場合、前記画像設定を識別する識別コードを前記識別コード生成部に生成させ、試し刷り画像を前記画像形成部に形成させるとともに、前記画像設定を前記識別コードに関連付けて前記記憶部に記憶させ、前記画像の試し刷りを終了すべき旨の指令を前記操作部が受け付けた場合、前記試し刷り画像の各ページについて前記識別コードを入力すべき旨の指示を前記表示部に表示させ、前記画像の各ページについて前記識別コードが入力された後、画像形成を実行すべき旨の指令を前記操作部が受け付けた場合、前記画像の各ページについて前記識別コードに関連付けられた画像設定で前記画像形成部に画像を形成させることを特徴とする画像形成装置を提供するものである。
また、この発明は、ユーザーからの画像設定の指定を含む種々の指令を受け付ける操作部と、前記操作部を介して指定された画像設定で画像を形成する画像形成部と、前記画像設定を識別する識別コードを生成する識別コード生成部と、前記画像設定および前記識別コードを記憶する記憶部と、ユーザーへの指示を表示する表示部と、前記識別コードを含む画像から前記識別コードを読み取る画像読取部と、前記操作部、前記画像形成部、前記識別コード生成部、前記記憶部、前記表示部および前記画像読取部を制御する制御部とを備え、前記制御部は、ユーザーにより指定された画像設定で画像の試し刷りを実行すべき指令を前記操作部が受け付けた場合、前記画像設定を識別する識別コードを前記識別コード生成部に生成させ、前記識別コードが含まれるように試し刷り画像を前記画像形成部に形成させせるとともに、前記画像設定を前記識別コードに関連付けて前記記憶部に記憶させ、前記画像の試し刷りを終了すべき旨の指令を前記操作部が受け付けた場合、前記試し刷り画像の各ページについて前記識別コードを含む画像を前記画像読取部に読み取らせるべき旨の指示を前記表示部に表示させ、前記試し刷り画像の各ページについて前記識別コードを前記画像読取部が読み取った後、画像形成を実行すべき旨の指令を前記操作部が受け付けた場合、前記画像の各ページについて前記識別コードに関連付けられた画像設定で前記画像形成部に画像を形成させることを特徴とする画像形成装置を提供するものである。
また、この発明は、ユーザーからの画像設定の指定を含む種々の指令を受け付ける操作ステップと、前記操作ステップにおいて指定された画像設定で画像を形成する画像形成ステップと、前記画像設定を識別する識別コードを生成する識別コード生成ステップと、前記画像設定および前記識別コードを記憶する記憶ステップと、ユーザーへの指示を表示する表示ステップとを有し、前記操作ステップにおいて、ユーザーにより指定された画像設定で画像の試し刷りを実行すべき指令を受け付けた場合、前記識別コード生成ステップにおいて、前記画像設定を識別する識別コードを生成し、前記画像ステップにおいて、試し刷り画像を形成し、前記記憶ステップにおいて、前記画像設定を前記識別コードに関連付けて記憶し、前記操作ステップにおいて、前記画像の試し刷りを終了すべき旨の指令を受け付けた場合、前記表示ステップにおいて、前記試し刷り画像の各ページについて前記識別コードを入力すべき旨の指示を表示し、前記操作ステップにおいて、前記画像の各ページについて前記識別コードが入力された後、画像形成を実行すべき旨の指令を受け付けた場合、前記画像形成ステップにおいて、前記画像の各ページについて前記識別コードに関連付けられた画像設定で画像を形成することを特徴とする画像形成方法を提供するものである。
また、この発明は、ユーザーからの画像設定の指定を含む種々の指令を受け付ける操作ステップと、前記操作ステップにおいて指定された画像設定で画像を形成する画像形成ステップと、前記画像設定を識別する識別コードを生成する識別コード生成ステップと、前記画像設定および前記識別コードを記憶する記憶ステップと、ユーザーへの指示を表示する表示ステップと、前記識別コードを含む画像から前記識別コードを読み取る画像読取ステップとを有し、前記操作ステップにおいて、ユーザーにより指定された画像設定で画像の試し刷りを実行すべき指令が受け付けられた場合、前記識別コード生成ステップにおいて、前記画像設定を識別する識別コードを生成し、前記画像形成ステップにおいて、試し刷り画像を形成し、前記記憶ステップにおいて、前記画像設定を前記識別コードに関連付けて記憶し、前記操作ステップにおいて、前記画像の試し刷りを終了すべき旨の指令が受け付けられた場合、前記表示ステップにおいて、前記試し刷り画像の各ページについて前記識別コードを含む画像を読み取らせるべき旨の指示を表示し、前記画像読取ステップにおいて、前記試し刷り画像の各ページについて前記識別コードが読み取られた後、前記操作ステップにおいて、画像形成を実行すべき旨の指令が受け付けられた場合、前記画像形成ステップにおいて、前記画像の各ページについて前記識別コードに関連付けられた画像設定で画像を形成することを特徴とする画像形成方法を提供するものである。
【発明の効果】
【００１０】
この発明によれば、複数回のお試し印刷機能を利用する際、従来よりも簡単に印刷設定を行うことができる画像形成装置および画像形成方法を実現できる。
【００１１】
この発明において、「画像形成装置」は、トナーによる像形成に電子写真方式を用いるプリンタなどの複写（コピー）機能を有する複写機や複写以外の機能をも含むＭＦＰ（Multifunctionａl Peripheral：多機能周辺装置）など、画像を形成して出力する装置である。
【００１２】
この発明の「操作部」は、表示操作部１７１および物理操作部１７２によって実現される。また、この発明の「表示部」は、表示操作部１７１によって実現される。
【００１３】
さらに、この発明の好ましい態様について説明する。
【００１４】
（２）前記制御部は、前記識別コードを含む画像を前記画像読取部が読み取った場合、前記画像の各ページについて前記画像読取部が読み取った前記識別コードを前記表示部に表示させるものであってもよい。
【００１５】
このようにすれば、読み取った識別コードを表示部に表示することにより、ユーザーは所望の画像設定が適切に反映されるか否かを簡単に確認できるため、従来よりも簡単に各ページの画像設定を行うことができる画像形成装置を実現できる。
【００１６】
（３）この発明の画像形成装置において、前記制御部は、前記画像の各ページについて前記識別コードを含む画像を前記画像読取部が読み取った際に、前記識別コードを読み取れなかった画像が存在する場合、読み取れなかった画像の各ページについて、前記識別コードを入力するか、または前記識別コードを含む画像を前記画像読取部に読み取らせるべき旨の指示を前記表示部に表示させるものであってもよい。
【００１７】
このようにすれば、読み取れなかった識別コードを入力するか、当該識別コードを含む試し刷り画像を画像読取部に読み取らせるべき旨を表示部に表示することにより、ユーザーは所望の画像設定が適切に反映されるか否かを簡単に確認できるため、従来よりも簡単に各ページの画像設定を行うことができる画像形成装置を実現できる。
【００１８】
（４）前記操作部は、前記画像の各ページについて前記識別コードの修正を受け付けるものであってもよい。
【００１９】
このようにすれば、試し刷り画像の各ページについて識別コードの修正を受け付けるため、従来よりも簡単に各ページの画像設定を行うことができる画像形成装置を実現できる。
【００２０】
（５）この発明の画像形成装置において、前記制御部は、前記画像の各ページについて前記識別コードに関連付けられた画像設定で前記画像形成部に画像を形成させた後、前記画像の画像設定および前記識別コードを前記記憶部から削除するものであってもよい。
【００２１】
このようにすれば、識別コードに関連付けられた画像設定で画像を形成した後、試し刷り画像の画像設定および識別コードが削除されるため、ユーザーは、セキュリティを確保しつつ、従来よりも簡単に各ページの画像設定を行うことができる画像形成装置を実現できる。
【図面の簡単な説明】
【００２２】
【図１】この発明の実施形態１に係るデジタル複合機の外観を示す斜視図である。
【図２】図１のデジタル複合機の平面図である。
【図３】図１のデジタル複合機のパネルユニットを示す説明図である。
【図４】図１のデジタル複合機の概略構成を示すブロック図である。
【図５】図１のデジタル複合機のお試し印刷手順の概略を示すフローチャートである。
【図６】図１のデジタル複合機のお試し印刷時の印刷結果の一例を示す説明図である。図６（Ａ）〜（Ｃ）はそれぞれ、お試し印刷１回目〜３回目の１〜５ページの印刷結果を示す。
【図７】図１のデジタル複合機の印刷データのＩＤの一例を示す表である。
【図８】図１のデジタル複合機のお試し印刷の印刷結果の選択例を示す説明図である。図８（Ａ）は、表示操作部にプレビュー表示された印刷ページの選択例を示し、図８（Ｂ）は、表示操作部にリスト表示された印刷ページの選択例を示す。
【図９】図１のデジタル複合機のお試し印刷の印刷結果の選択例を示す説明図である。図９（Ａ）は、記憶部１３に記憶されたお試し印刷の各回の印刷設定データを示し、図９（Ｂ）は、ユーザーによって選択された印刷設定データの一例を示す。
【図１０】この発明の実施形態２に係るデジタル複合機のお試し印刷手順の概略を示すフローチャートである。
【図１１】この発明の実施形態２に係るデジタル複合機のお試し印刷時の印刷結果の一例を示す説明図である。図１１（Ａ）〜（Ｃ）はそれぞれ、お試し印刷１回目〜３回目の１〜５ページの印刷結果の一例を示す。
【図１２】この発明の実施形態２に係るデジタル複合機に読み込ませるべきお試し印刷の印刷結果の選択例を示す説明図である。
【図１３】この発明の実施形態３に係るデジタル複合機のお試し印刷物の読込手順の概略を示すフローチャートである。
【図１４】この発明の実施形態３に係るデジタル複合機の表示操作部に表示されたお試し印刷の印刷結果の読み込み結果の一例を示す説明図である。
【図１５】この発明の実施形態４に係るデジタル複合機のお試し印刷手順の概略を示すフローチャートである。
【図１６】この発明の実施形態５に係るデジタル複合機を含むデジタル複合機システムの構成を示す説明図である。
【図１７】この発明の実施形態５に係るデジタル複合機の印刷データのＩＤの一例である。
【図１８】この発明の実施形態６に係るデジタル複合機のお試し印刷物の読込手順の概略を示すフローチャートである。
【図１９】この発明の実施形態６に係るデジタル複合機の表示操作部に表示されたお試し印刷の印刷結果の読み込み結果の一例を示す説明図である。
【発明を実施するための形態】
【００２３】
以下、図面を用いてこの発明をさらに詳述する。なお、以下の説明は、すべての点で例示であって、この発明を限定するものと解されるべきではない。
【００２４】
〔実施形態１〕
図１〜図３に基づき、この発明の画像形成装置を備えた画像形成装置の一例としてのデジタル複合機１の概要について説明する。
【００２５】
図１は、この発明の実施形態１に係るデジタル複合機１の外観を示す斜視図である。また、図２は、図１のデジタル複合機１の平面図である。また、図３は、図１のパネルユニット１７の一例を示す説明図である。
【００２６】
デジタル複合機１は、複写機能やスキャナ機能、ファクシミリ機能を有し、原稿から読み取った画像データをデジタル処理して出力する装置である。
【００２７】
図１および図２に示すように、デジタル複合機１は、パネルユニット１７を備える。
【００２８】
図３に示すように、パネルユニット１７は、タッチパネル機能を有する表示操作部１７１および物理操作部１７２を備える。
【００２９】
次に、図４に基づき、デジタル複合機１の概略構成を説明する。
【００３０】
図４は、図１のデジタル複合機１の概略構成を示すブロック図である。
【００３１】
図４に示すように、デジタル複合機１は、制御部１０、画像読取部１１、画像形成部１２、記憶部１３、画像処理部１４、通信部１５、給紙部１６、パネルユニット１７および識別コード生成部１８を備える。
【００３２】
以下、デジタル複合機１の各構成要素を説明する。
【００３３】
制御部１０は、デジタル複合機１を統合的に制御するものであって、ＣＰＵ、ＲＡＭ、ＲＯＭ、各種のインターフェース回路等からなる。
【００３４】
制御部１０は、デジタル複合機１全体の動作をコントロールするために、各センサの検知、モーター、クラッチ、パネルユニット１７等、あらゆる負荷の監視・制御を行う。
【００３５】
画像読取部１１は、原稿セット台１６３に置かれたカード等の原稿または用紙トレイから搬送されてきた原稿を検知して読み取り、画像データを生成する部分である。
【００３６】
画像形成部１２は、画像処理部１４によって生成された画像データを用紙上に印刷出力する部分であり、ＬＳＵ１２１を備える。
【００３７】
ＬＳＵ１２１は、画像読取部１１によって取得されたデジタル信号からなる画像情報に対応するレーザー光を帯電状態にある感光体ドラムの表面に照射して、静電潜像を形成する装置である。
【００３８】
記憶部１３は、デジタル複合機１の各種機能を実現するために必要な情報や、制御プログラムなどを記憶する素子や記憶媒体である。例えば、ＲＡＭやＲＯＭ等の半導体素子、ハードディスク、フラッシュ記憶部、ＳＳＤ等の記憶媒体が用いられる。
【００３９】
なお、データを保持する領域がハードディスクドライブで、プログラムを保持する領域はフラッシュ記憶部で構成するといったように、プログラムとデータが異なる装置に保持されてもよい。
【００４０】
画像処理部１４は、画像読取部１１によって読み取られた原稿の画像を適正な電気信号に変換して画像データを生成する部分である。また、画像読取部１１から入力された画像データを表示操作部１７１からの指令に従い、拡大・縮小等の出力に適するように処理を行う部分である。また、予め定められたレイアウトに従って複数の画像データを関連付ける部分である。
【００４１】
通信部１５は、ネットワーク等を介して、コンピュータや携帯情報端末、外部の情報処理装置やファクシミリ装置等との通信をおこない、メールやＦＡＸなどの種々の情報をこれら外部の通信装置と送受信する部分である。
【００４２】
給紙部１６は、手差トレイ１６１、給紙カセット１６２および原稿セット台１６３に格納された用紙を画像形成部１２まで搬送する部分である。
【００４３】
パネルユニット１７は、液晶ディスプレイ（Liquid Crystal Display）を備えたユニットであり、表示操作部１７１および物理操作部１７２を備える。
【００４４】
表示操作部１７１は、各種情報の表示を行い、タッチパネル機能によりユーザーからの指令を受け付ける部分である。表示操作部１７１は、例えば、ＣＲＴディスプレイ、液晶ディスプレイ、ＥＬディスプレイなどで構成され、オペレーティングシステムやアプリケーションソフトウェアが処理状態など電子的なデータを表示するためのモニタやラインディスプレイなどの表示装置である。制御部１０は、表示操作部１７１を通じて、デジタル複合機１の動作および状態の表示を行う。
【００４５】
識別コード生成部１８は、お試し印刷を実行した際に、お試し印刷の印刷設定を識別するため、印刷ページに印刷すべき識別コードを生成する部分である。
【００４６】
識別コードは、特定の英数字や記号等から構成される固有ＩＤの他、バーコードやＱＲコード(登録商標)など、お試し印刷の回数と印刷設定とを特定できるものであれば、どのようなものあってもよい。
＜デジタル複合機１のお試し印刷手順の概略＞
次に、図５〜図９に基づき、この発明の実施形態１に係るデジタル複合機１のお試し印刷手順について説明する。
【００４７】
図５は、図１のデジタル複合機１のお試し印刷手順の概略を示すフローチャートである。
【００４８】
図５のステップＳ１において、制御部１０は、原稿用紙のセット後、印刷設定の設定または変更を受け付ける（ステップＳ１）。
【００４９】
続いて、ステップＳ２において、制御部１０は、お試し印刷の実行指令を受け付けたか否かを判定する（ステップＳ２）。
【００５０】
お試し印刷の実行指令を受け付けた場合（ステップＳ２の判定がＹｅｓの場合）、制御部１０は、ステップＳ３において、印刷ページに所定の識別コードをつけて印刷し、識別コードとともに印刷設定データを記憶部１３に記憶させる（ステップＳ３）。
【００５１】
ここで、識別コードおよび印刷設定データを記憶部１３に記憶させる期間は、１日から数週間までさまざまだが、任意の期間に設定できるようにしてもよい。
【００５２】
また、識別コードおよび印刷設定データを記憶部１３に記憶させる容量の上限を任意の値に設定できるようにしてもよい。
【００５３】
なお、識別コードおよび印刷設定データが上限を超えた場合は、古いデータから順次削除するようにしてもよい。
【００５４】
一方、お試し印刷の実行指令を受け付けていない場合（ステップＳ２の判定がＮｏの場合）、制御部１０は、処理をステップＳ１に戻す（ステップＳ１）。
【００５５】
次に、ステップＳ４において、制御部１０は、お試し印刷が終了したか否かを判定する（ステップＳ４）。
【００５６】
お試し印刷が終了した場合（ステップＳ４の判定がＹｅｓの場合）、制御部１０は、ステップＳ５において、表示操作部１７１を通じて、ページごとの識別コードの指定を受け付ける（ステップＳ５）。
【００５７】
次に、ステップＳ６において、制御部１０は、指定された識別コードの印刷設定データを記憶部１３から読み込んで、印刷を実行する（ステップＳ６）。
【００５８】
その後、制御部１０は、お試し印刷手順を終了させる。
【００５９】
一方、ステップＳ４において、お試し印刷が終了していない場合（ステップＳ４の判定がＮｏの場合）、制御部１０は、処理をステップＳ１に戻す（ステップＳ１）。
【００６０】
次に、図６〜図９に基づき、この発明の実施形態１に係るデジタル複合機１のお試し印刷の具体的な手順を説明する。
【００６１】
図６は、図１のデジタル複合機１のお試し印刷時の印刷結果の一例を示す説明図である。図６（Ａ）〜（Ｃ）はそれぞれ、お試し印刷１回目〜３回目の１〜５ページの印刷結果を示す。
【００６２】
図６（Ａ）〜（Ｃ）に示すように、１回目〜３回目のお試し印刷を示す識別コードとして、ＩＤ＿１〜ＩＤ＿３の識別コードがそれぞれ印刷されている。
【００６３】
また、識別コードの印刷場所は、印刷画像の枠内または枠外の任意の位置に設定可能とする。
【００６４】
また、識別コードは、透かし文字であってもよい。
【００６５】
お試し印刷を実行した後、制御部１０は、原稿スキャンデータおよび印刷設定データを識別コードごとに記憶部１３に一時保存しておく。
【００６６】
図７は、図１のデジタル複合機の印刷データのＩＤの一例を示す表である。
【００６７】
図７において、マシンＩＤは、デジタル複合機１を特定する識別番号である。
ジョブＩＤは、デジタル複合機１の各ジョブを特定する識別番号である。
お試しＩＤは、デジタル複合機１の各ジョブの何度目のお試し印刷設定かを特定する識別番号である。
ページＩＤは、各ジョブおよび各お試し印刷設定でのページを特定する識別番号である。
なお、画像からページＩＤを識別できるため、ページＩＤはなくてもよい。
【００６８】
次に、ユーザーは、お試し印刷結果を参照し、各ページについて所望の識別コードを選択して指定する。
【００６９】
図８は、図１のデジタル複合機１のお試し印刷の印刷結果の選択例を示す説明図である。図８（Ａ）は、表示操作部１７１にプレビュー表示された印刷ページの選択例を示し、図８（Ｂ）は、表示操作部１７１にリスト表示された印刷ページの選択例を示す。
【００７０】
図８（Ａ）（Ｂ）に示すように、ユーザーは、１〜５ページの各ページにつき、所望の識別コードを入力する。
【００７１】
図８（Ａ）の例において、１ページ目にはＩＤ＿１が入力され、２ページ目にはＩＤ＿３が入力されている。
【００７２】
識別コードのデフォルト値はＩＤ＿１に設定されているが、任意の値に設定してもよい。
【００７３】
図８（Ａ）の例では、１画面に１ページのプレビューのみが表示されているが、１画面に２ページ以上のプレビューを表示させるようにしてもよい。
【００７４】
図８（Ｂ）の例では、１ページ目にはＩＤ＿１が入力され、２ページ目にはＩＤ＿３が入力され、３ページ目にはＩＤ＿１が入力され、４ページ目にはＩＤ＿２が入力され、５ページ目にはＩＤ＿１が入力されている。
【００７５】
また、図８（Ｂ）のリスト表示において、任意のページを指定する等して、指定されたページに対応するプレビューを表示させるようにしてもよく、プレビュー表示とリスト表示を自由に切り換えできるようにしてもよい。
【００７６】
図９は、図１のデジタル複合機１のお試し印刷の印刷結果の選択例を示す説明図である。図９（Ａ）は、記憶部１３に記憶されたお試し印刷の各回の印刷設定データを示し、図９（Ｂ）は、ユーザーによって選択された印刷設定データの一例を示す。
【００７７】
制御部１０は、ユーザーの選択結果に基づき、記憶部１３から該当する印刷設定データを呼び出して、印刷を実行する。
【００７８】
なお、印刷の際、お試し印刷で印刷した印刷物をユーザーが利用する場合は、事前に設定した部数から１部だけ減らして最終部数を印刷するようにしてもよい。
また、印刷物のページごとに、あるいは全ページに対して、お試し印刷で印刷した印刷物を利用するか否かを設定可能なユーザーインターフェースを用意してもよい。
【００７９】
このようにして、複数回のお試し印刷機能を利用する際、ユーザーは複数回分のお試し印刷の印刷物の中からページごとに印刷結果を見比べて、各ページについて所望の回の識別コードを指定するだけで、最適な印刷設定を行うことができるため、従来よりも簡単に印刷設定を行うことができるデジタル複合機１を実現できる。
【００８０】
〔実施形態２〕
次に、図１０〜図１２に基づき、この発明の実施形態２に係るデジタル複合機１のお試し印刷の具体的な手順を説明する。
【００８１】
図１０は、この発明の実施形態２に係るデジタル複合機１のお試し印刷手順の概略を示すフローチャートである。
【００８２】
図１０のステップＳ１１〜Ｓ１４の処理は、図５のステップＳ１〜Ｓ４の処理と同一であるため、説明を省略する。
【００８３】
ここでは、図５に記載のない図１０のステップＳ１５〜Ｓ１７の処理について説明する。
【００８４】
また、この発明の実施形態２に係るデジタル複合機１の概略構成は、実施形態１（図４）の構成と同一であるため、説明を省略する。
【００８５】
図１０のステップＳ１４において、お試し印刷が終了した場合（ステップＳ１４の判定がＹｅｓの場合）、制御部１０は、ステップＳ１５において、画像読取部１１から所望の組み合わせのお試し印刷物の読み込みを受け付ける（ステップＳ１５）。
【００８６】
なお、お試し印刷物の読み込みの際は、読み込むべきお試し印刷物のページの順序は問わないものとする。
【００８７】
図１１は、この発明の実施形態２に係るデジタル複合機１のお試し印刷時の印刷結果の一例を示す説明図である。図１１（Ａ）〜（Ｃ）はそれぞれ、お試し印刷１回目〜３回目の１〜５ページの印刷結果の一例を示す。
【００８８】
図１１（Ａ）〜（Ｃ）に示すように、１回目〜３回目のお試し印刷を示す識別コードとして、ＩＤ＿１〜ＩＤ＿３の識別コードがそれぞれ印刷されている。
【００８９】
ユーザーは、お試し印刷結果を参照し、各ページについて所望の識別コードを選択して指定する。
【００９０】
図１２は、この発明の実施形態２に係るデジタル複合機１に読み込ませるべきお試し印刷の印刷結果の選択例を示す説明図である。
【００９１】
図１２において、１ページ目としてＩＤ＿１の印刷物が指定され、２ページ目としてＩＤ＿３の印刷物が指定され、３ページ目としてＩＤ＿１の印刷物が指定され、４ページ目としてＩＤ＿２の印刷物が指定され、５ページ目としてＩＤ＿１の印刷物が指定されている。
【００９２】
ユーザーは、これらの印刷物の組み合わせを画像読取部１１に読み取らせる。
【００９３】
次に、図１０のステップＳ１６において、制御部１０は、画像読取部１１が読み込んだお試し印刷物から各ページの識別コードを特定する（ステップＳ１６）。
【００９４】
続いて、ステップＳ１７において、制御部１０は、特定した識別コードの印刷設定データを記憶部１３から読み込んで、印刷を実行する（ステップＳ１７）。
【００９５】
その後、制御部１０は、お試し印刷手順を終了させる。
【００９６】
このようにして、複数回のお試し印刷機能を利用する際、ユーザーは複数回分のお試し印刷の印刷物の中からページごとに印刷結果を見比べて、各ページについて所望の印刷物を指定してデジタル複合機１に読み取らせるだけで、最適な印刷設定を行うことができるため、従来よりも簡単に印刷設定を行うことができるデジタル複合機１を実現できる。
【００９７】
〔実施形態３〕
次に、図１３および図１４に基づき、この発明の実施形態３に係るデジタル複合機１のお試し印刷の具体的な手順を説明する。
【００９８】
図１３は、この発明の実施形態３に係るデジタル複合機１のお試し印刷物の読込手順の概略を示すフローチャートである。
【００９９】
図１３の処理は、実施形態２の図１０のステップＳ１１〜Ｓ１４の処理の後の所望の組み合わせのお試し印刷物の読み込み開始後の処理に対応する。
【０１００】
また、この発明の実施形態３に係るデジタル複合機１の概略構成は、実施形態１（図４）の構成と同一であるため、説明を省略する。
【０１０１】
図１３のステップＳ２１において、制御部１０は、画像読取部１１から所望の組み合わせのお試し印刷物の読み込みを受け付ける（ステップＳ２１）。
【０１０２】
次に、ステップＳ２２において、制御部１０は、画像読取部１１が読み込んだお試し印刷物から各ページの識別コードを表示操作部１７１に表示させる（ステップＳ２２）。
【０１０３】
次に、ステップＳ２３において、制御部１０は、識別コードが読み込めなかった等により未特定の識別コードがあるか否かを判定する（ステップＳ２３）。
【０１０４】
未特定の識別コードがある場合（ステップＳ２３の判定がＹｅｓの場合）、ステップＳ２４において、制御部１０は、識別コードを入力または再読込すべき旨のメッセージを表示操作部１７１に表示させる（ステップＳ２４）。
【０１０５】
その後、ステップＳ２５において、制御部１０は、識別コードの入力・修正または再読込を受け付けたか否かを判定する（ステップＳ２５）。
【０１０６】
一方、未特定の識別コードがない場合（ステップＳ２３の判定がＮｏの場合）、制御部１０は、ステップＳ２５の判定を行う（ステップＳ２５）。
【０１０７】
ステップＳ２５において、制御部１０は、識別コードの入力・修正または再読込を受け付けたか否かを判定する（ステップＳ２５）。
【０１０８】
識別コードの入力・修正または再読込を受け付けた場合（ステップＳ２５の判定がＹｅｓの場合）、ステップＳ２６において、制御部１０は、識別コードの入力・修正または再読込を反映する（ステップＳ２６）。
【０１０９】
その後、制御部１０は、処理をステップＳ２３の判定に戻す（ステップＳ２３）。
【０１１０】
一方、識別コードの入力・修正または再読込を受け付けていない場合（ステップＳ２５の判定がＮｏの場合）、ステップＳ２７において、制御部１０は、印刷キーが押されたか否かを判定する（ステップＳ２７）。
【０１１１】
印刷キーが押された場合（ステップＳ２７の判定がＹｅｓの場合）、ステップＳ２８において、制御部１０は、確定した識別コードの印刷設定データを記憶部１３から読み込んで、印刷を実行する（ステップＳ２８）。
【０１１２】
その後、制御部１０は、お試し印刷手順を終了させる。
【０１１３】
一方、印刷キーが押されていない場合（ステップＳ２７の判定がＮｏの場合）、制御部１０は、ステップＳ２５の判定に処理を戻す（ステップＳ２５）。
【０１１４】
図１４は、この発明の実施形態３に係るデジタル複合機１の表示操作部１７１に表示されたお試し印刷の印刷結果の読み込み結果の一例を示す説明図である。
【０１１５】
図１４に示すように、「ページ毎にＩＤを読み込みました。間違いがあれば修正して下さい。」というメッセージとともに、各ページの識別コードが表示されている。
【０１１６】
図１４の例において、「ｐ．１  ＩＤ：１」「ｐ．２  ＩＤ：３」「ｐ．３  ＩＤ：１」「ｐ．４  ＩＤ：２」と表示されている。
【０１１７】
一方、５ページ目については、識別コードを読み込めなかったため、「※ＩＤを読み込めませんでした。ＩＤを指定して下さい。」というメッセージを表示させる。
【０１１８】
また、再度５ページ目の印刷結果を画像読取部１１に読み込ませるべき旨のメッセージを表示してもよい。
【０１１９】
このようにして、複数回のお試し印刷機能を利用する際、ユーザーが各ページについて所望の印刷物を指定してデジタル複合機１に読み取らせるだけで、識別コードが設定され、最適な印刷設定を行うことができるため、従来よりも簡単に印刷設定を行うことができるデジタル複合機１を実現できる。
【０１２０】
特に、読み込んだページが不足している場合や識別コードが認識できなかった場合、ユーザーに識別コードの入力または再読込を促すことができ、また、識別コードの修正をすることもできる。
【０１２１】
（変形例１）
実施形態３の変形例１として、制御部１０は、記憶部１３に一時保存している識別コードを選択肢として表示操作部１７１に表示させ、ユーザーに選択させるようにしてもよい。
【０１２２】
このようにすることで、ユーザーの選択が容易になる。
【０１２３】
（変形例２）
実施形態３の変形例２として、制御部１０は、印刷キーが押された場合、識別コードが特定されたページのみ印刷を実行するようにしてもよい。
【０１２４】
このようにすることで、ユーザーが必要とするページのみ印刷が実行される。
【０１２５】
〔実施形態４〕
次に、図１５に基づき、この発明の実施形態４に係るデジタル複合機１のお試し印刷の具体的な手順を説明する。
【０１２６】
図１５は、この発明の実施形態４に係るデジタル複合機１のお試し印刷手順の概略を示すフローチャートである。
【０１２７】
図１５のステップＳ３１〜Ｓ３６の処理は、実施形態１の図５のステップＳ１〜Ｓ６の処理に対応するため、説明を省略する。
【０１２８】
また、この発明の実施形態４に係るデジタル複合機１の概略構成は、実施形態１（図４）の構成と同一であるため、説明を省略する。
【０１２９】
図１５のステップＳ３６において、指定された識別コードの印刷設定データを記憶部１３から読み込んで、印刷を実行した後（ステップＳ３６）、ステップＳ３７において、制御部１０は、お試し印刷モードの終了後、スキャンデータおよび印刷設定データを記憶部１３から削除する（ステップＳ３７）。
【０１３０】
その後、過去に印刷された識別コード付きの原稿を読み込んだ場合、制御部１０は、読み込みエラーとして、当該原稿から印刷できないようにしてもよい。
【０１３１】
このようにして、過去のお試し印刷の際の印刷物を指定してデジタル複合機１に読み取らせた場合にエラーにより印刷不可とすることで、情報の流出を防止するデジタル複合機１を実現できる。
【０１３２】
〔実施形態５〕
次に、図１６および図１７に基づき、この発明の実施形態５に係るデジタル複合機１のお試し印刷の具体的な手順を説明する。
【０１３３】
図１６は、この発明の実施形態５に係るデジタル複合機１を含むデジタル複合機システム１００の構成を示す説明図である。
【０１３４】
図１６に示すように、この発明の実施形態５に係るデジタル複合機１は、ネットワーク３を通じて、他のデジタル複合機１およびサーバー２と接続されている。
【０１３５】
制御部１０は、お試し印刷の実行指令を受け付けた場合、識別コードおよび印刷設定データ等の設定データ４をサーバー２に保存させる。
【０１３６】
図１７は、この発明の実施形態５に係るデジタル複合機１の印刷データのＩＤの一例である。
【０１３７】
図１７の「マシンＩＤ」、「ジョブＩＤ」、「お試しＩＤ」および「ページＩＤ」は、図７で説明した内容と同一であるため、説明を省略する。
【０１３８】
図１７において、２つのデジタル複合機１に対応する２つのマシンＩＤ「Ｓ７５００５７０９」および「Ｓ７５００５００５」が設定されている。
【０１３９】
そして、ユーザーは、もう一つのデジタル複合機１において、表示操作部１７１を通じて、ページごとの識別コードを指定すると、サーバー２に保存された設定データ４が読み込まれ、印刷を実行できる。
【０１４０】
このようにして、ネットワーク３を介して、識別コードを指定するだけで、お試し印刷を実行したデジタル複合機１と別の複合機で最適な印刷設定を行うことができるため、従来よりも簡単に印刷設定を行うことができるデジタル複合機１を実現できる。
【０１４１】
これにより、例えば、会社のオフィスのデジタル複合機１でお試し印刷を行った後、出張先のデジタル複合機１で識別コードを入力することで、最適な印刷設定で設定した印刷物を得ることが可能となる。
【０１４２】
〔実施形態６〕
次に、図１８および図１９に基づき、この発明の実施形態６に係るデジタル複合機１のお試し印刷の具体的な手順を説明する。
【０１４３】
図１８は、この発明の実施形態６に係るデジタル複合機１のお試し印刷物の読込手順の概略を示すフローチャートである。
【０１４４】
図１８のステップＳ４１〜Ｓ４４およびＳ４６〜Ｓ４９の処理はそれぞれ、実施形態３の図１３のステップＳ２１〜Ｓ２８の処理に対応するため、説明を省略する。
【０１４５】
ここでは、図１３にないステップＳ４５の処理について説明する。
【０１４６】
また、この発明の実施形態６に係るデジタル複合機１の概略構成は、実施形態１（図４）の構成と同一であるため、説明を省略する。
【０１４７】
図１８のステップＳ４３において、未特定の識別コードがない場合（ステップＳ４３の判定がＮｏの場合）、制御部１０は、ステップＳ４５において、印刷キーを表示操作部１７１に有効に表示させる（ステップＳ４５）。
【０１４８】
図１９は、この発明の実施形態６に係るデジタル複合機１の表示操作部１７１に表示されたお試し印刷の印刷結果の読み込み結果の一例を示す説明図である。
【０１４９】
図１９に示すように、全てのページについて識別コードが特定された場合、右下に「印刷キー」を有効に表示させる。
【０１５０】
このようにして、お試し印刷機能を利用する際、全てのページについて識別コードが特定されるまで印刷を実行しないため、印刷の抜けがなくなり、全てのページについてユーザーに識別コードの入力または再読込を促すことができる。
【０１５１】
この発明の好ましい態様には、上述した複数の態様のうちの何れかを組み合わせたものも含まれる。
【０１５２】
前述した実施の形態の他にも、この発明について種々の変形例があり得る。それらの変形例は、この発明の範囲に属さないと解されるべきものではない。この発明には、請求の範囲と均等の意味および前記範囲内でのすべての変形とが含まれるべきである。
【符号の説明】
【０１５３】
１：デジタル複合機、    ２：サーバー、    ３：ネットワーク、    ４：設定データ、    １０：制御部、    １１：画像読取部、    １２：画像形成部、    １３：記憶部、    １４：画像処理部、    １５：通信部、    １６：給紙部、    １７：パネルユニット、    １００：デジタル複合機システム、    １２１：ＬＳＵ、    １６１：手差トレイ、    １６２：給紙カセット、    １６３：原稿セット台、    １７１：表示操作部、    １７２：物理操作部
【図１】
2020191553.tif 000003
【図２】
2020191553.tif 000004
【図３】
2020191553.tif 000005
【図４】
2020191553.tif 000006
【図５】
2020191553.tif 000007
【図６】
2020191553.tif 000008
【図７】
2020191553.tif 000009
【図８】
2020191553.tif 000010
【図９】
2020191553.tif 000011
【図１０】
2020191553.tif 000012
【図１１】
2020191553.tif 000013
【図１２】
2020191553.tif 000014
【図１３】
2020191553.tif 000015
【図１４】
2020191553.tif 000016
【図１５】
2020191553.tif 000017
【図１６】
2020191553.tif 000018
【図１７】
2020191553.tif 000019
【図１８】
2020191553.tif 000020
【図１９】
2020191553.tif 000021